(57)【要約】【課題】本発明は、端部ケーシングに起因するクロスフローファンの端部の外周面から吹き出される空気の阻害を抑制することで、ＮＺ音の発生を抑制可能な空調用室内ユニットを提供することを目的とする。【解決手段】クロスフローファン本体３１の端部に設けられ、空気流入領域に対応する第１の外周面３１ｂとの間に第１の隙間４８Ｇを形成する第１の内面４８ａを含む第１の部分４８、及び空気流出領域に対応する第２の外周面３１ｃとの間に第２の隙間４９Ｇを形成する第２の内面４９ａを含む第２の部分４９を有する端部ケーシング２２を備え、第２の隙間４９Ｇが第１の隙間４８Ｇよりも広い。【選択図】図５
2020003103.tif 000002
【特許請求の範囲】
【請求項１】
室内の空気を吸い込む空気吸込口、及び該空気を吹き出す空気吹出口を有する筐体と、
前記筐体内に収容され、前記空気吸込口から吸い込まれた前記空気と熱交換する熱交換ユニットと、
前記筐体内に収容され、該筐体の幅方向に延びて配置されており、熱交換後の前記空気が流入する空気流入領域に対応する第１の外周面、及び前記熱交換後の空気が流出する空気流出領域に対応する第２の外周面を含む外周面を有するクロスフローファンと、
前記筐体内に収容され、かつ該筐体の背面側に配置されたリアガイダと、
前記筐体内に収容され、前記リアガイダの前面側に配置されており、前記空気吹出口と連通し、かつ前記空気流出領域を露出する空気吹出流路を前記リアガイダとの間に区画するスタビライザと、
前記クロスフローファンの端部に設けられ、前記クロスフローファンの端部に位置する前記第１の外周面との間に第１の隙間を形成する第１の内面を含む第１の部分、及び前記クロスフローファンの端部に位置する前記第２の外周面との間に第２の隙間を形成する第２の内面を含む第２の部分を有する端部ケーシングと、
を備え、
前記第２の隙間は、第１の隙間よりも広い空調用室内ユニット。
【請求項２】
前記第２の内面は、前記クロスフローファンの中心軸から離れる方向に傾斜した傾斜面である請求項１記載の空調用室内ユニット。
【請求項３】
前記リアガイダは、前記空気吹出口側に位置する第１の端部と、該第１の端部とは反対側に位置する第２の端部と、を有し、
前記第２の端部は、前記端部ケーシングのうち、前記空気流入領域と前記空気流出領域との境界部分に対応する部分と接続されており、
前記傾斜面は、前記第２の端部側に配置され、該第２の端部から前記第１の端部側に向かうにつれて、前記中心軸に対する傾斜角度が徐々に大きくなる第１の傾斜面と、前記第１の端部側に配置され、前記第１の傾斜面と一体とされ、前記中心軸に対する傾斜角度が一定とされた第２の傾斜面と、を有する請求項２記載の空調用室内ユニット。
【請求項４】
前記第２の傾斜面と前記第１の内面との境界部分には、段差が形成されており、
前記スタビライザは、前記空気吹出口側に位置する端部とは反対側に位置する端部に舌部を有し、
前記舌部は、前記段差を緩和可能な形状とされており、
前記舌部の一部は、前記段差に延びて配置されている請求項３記載の空調用室内ユニット。
【発明の詳細な説明】
【技術分野】
【０００１】
本発明は、空調用室内ユニットに関する。
【背景技術】
【０００２】
特許文献１には、空気吸込口及び空気吹出口を有する筐体と、端部ケーシングと、クロスフローファンと、熱交換器ユニットと、を有する空調用室内ユニットが開示されている。
筐体は、端部ケーシング、クロスフローファン、及び熱交換器ユニットを収容している。
端部ケーシングは、僅かな隙間を介在させた状態で、クロスフローファンの端部の外周面と対向するように配置されている。端部ケーシングは、クロスフローファンの端部から室内の空気の逆流を抑制することを目的に設けられている。
クロスフローファンの外周面は、空気吸込口から吸い込んだ空気が流入する空気流入領域に対応する第１の外周面と、熱交換器ユニットと熱交換した空気を空気吹出口に向けて吹き出す空気流出領域に対応する第２の外周面と、を有する。
【先行技術文献】
【特許文献】
【０００３】
【特許文献１】特開２０１５−１９０６３７号公報
【発明の概要】
【発明が解決しようとする課題】
【０００４】
しかしながら、僅かな隙間を介して、クロスフローファンの端部の第２の外周面と対向するように端部ケーシングを配置させると、クロスフローファンの端部の外周面から吹き出される熱交換後の空気の流れが阻害されて、クロスフローファンの端部の第２の外周面から室内の空気が入り込んで、ＮＺ音が発生する可能性があった。
【０００５】
そこで、本発明は、端部ケーシングに起因するクロスフローファンの端部の外周面から吹き出される空気の阻害を抑制することで、ＮＺ音の発生を抑制可能な空調用室内ユニットを提供することを目的とする。
【課題を解決するための手段】
【０００６】
上記課題を解決するため、本発明の一態様に係る空調用室内ユニットは、室内の空気を吸い込む空気吸込口、及び該空気を吹き出す空気吹出口を有する筐体と、前記筐体内に収容され、前記空気吸込口から吸い込まれた前記空気と熱交換する熱交換ユニットと、前記筐体内に収容され、該筐体の幅方向に延びて配置されており、熱交換後の前記空気が流入する空気流入領域に対応する第１の外周面、及び前記熱交換後の空気が流出する空気流出領域に対応する第２の外周面を含む外周面を有するクロスフローファンと、前記筐体内に収容され、かつ該筐体の背面側に配置されたリアガイダと、前記筐体内に収容され、前記リアガイダの前面側に配置されており、前記空気吹出口と連通し、かつ前記空気流出領域を露出する空気吹出流路を前記リアガイダとの間に区画するスタビライザと、前記クロスフローファンの端部に設けられ、前記クロスフローファンの端部に位置する前記第１の外周面との間に第１の隙間を形成する第１の内面を含む第１の部分、及び前記クロスフローファンの端部に位置する前記第２の外周面との間に第２の隙間を形成する第２の内面を含む第２の部分を有する端部ケーシングと、を備え、前記第２の隙間は、第１の隙間よりも広い。
【０００７】
本発明によれば、空気流出領域に対応する第２の外周面と端部ケーシングを構成する第２の部分の第２の内面との間に形成された第２の隙間を、空気流入領域に対応する第１の外周面と端部ケーシングを構成する第１の部分の第１の内面との間に形成された第１の隙間よりも広くすることで、クロスフローファンの端部に位置する第２の外周面から吹き出される空気の流れを第２の部分が阻害する可能性を低減することが可能となる。
これにより、クロスフローファンの端部に位置する第２の外周面から室内の空気が入り込むことを抑制可能となるので、ＮＺ音の発生を抑制できる。
【０００８】
また、上記本発明の一態様に係る空調用室内ユニットにおいて、前記第２の内面は、前記クロスフローファンの中心軸から離れる方向に傾斜した傾斜面であってもよい。
【０００９】
このように、第２の内面をクロスフローファンの中心軸から離れる方向に傾斜した傾斜面とすることで、第２の隙間を第１の隙間よりも広くすることができるとともに、クロスフローファンの端部から吹き出された空気をクロスフローファンの中央側に向かう方向に案内することができる。
【００１０】
また、上記本発明の一態様に係る空調用室内ユニットにおいて、前記リアガイダは、前記空気吹出口側に位置する第１の端部と、該第１の端部とは反対側に位置する第２の端部と、を有し、前記第２の端部は、前記端部ケーシングのうち、前記空気流入領域と前記空気流出領域との境界部分に対応する部分と接続されており、前記傾斜面は、前記第２の端部側に配置され、該第２の端部から前記第１の端部側に向かうにつれて、前記中心軸に対する傾斜角度が徐々に大きくなる第１の傾斜面と、前記第１の端部側に配置され、前記第１の傾斜面と一体とされ、前記中心軸に対する傾斜角度が一定とされた第２の傾斜面と、を有してもよい。
【００１１】
このように、第２の内面となる傾斜面が、中心軸に対する傾斜角度が徐々に大きくなる第１の傾斜面と、第１の傾斜面と一体とされ、中心軸に対する傾斜角度が一定とされた第２の傾斜面と、を有することで、クロスフローファンの端部に位置する第２の外周面から流出した空気を空気吹出口に向かう方向に滑らかに案内することができる。
【００１２】
また、上記本発明の一態様に係る空調用室内ユニットにおいて、前記第２の傾斜面と前記第１の内面との境界部分には、段差が形成されており、前記スタビライザは、前記空気吹出口側に位置する端部とは反対側に位置する端部に舌部を有し、前記舌部は、前記段差を緩和可能な形状とされており、前記舌部の一部は、前記段差に延びて配置されていてもよい。
【００１３】
このように、段差を緩和可能な形状とされた舌部の一部を段差に配置させることで、第２の傾斜面と第１の内面との境界部分に形成された段差を低減することが可能となる。これにより、クロスフローファンから流出された空気が段差に衝突して、流れが乱れることを抑制できる。
【発明の効果】
【００１４】
本発明によれば、端部ケーシングに起因するクロスフローファンの端部の外周面から吹き出される空気の阻害を抑制することで、ＮＺ音の発生を抑制できる。
【図面の簡単な説明】
【００１５】
【図１】本発明の第１の実施形態に係る空調用室内ユニットを水平面に対して直交する平面で切断した断面図であり、図２に示す構造体をＢ１−Ｂ２線で切断した際の断面に対応する図である。
【図２】図１に示す構造体をＡ１−Ａ２線で切断した際の断面図である。
【図３】モータ側に配置された端部ケーシング及びスタビライザの斜視図である。
【図４】図２に示す端部ケーシングの端部及びクロスフローファンをＣ１−Ｃ２線で切断した際の断面図である。
【図５】図２に示す端部ケーシングの端部及びクロスフローファンをＤ１−Ｄ２線で切断した際の断面図である。
【図６】図２に示す端部ケーシングの端部及びクロスフローファンをＥ１−Ｅ２線で切断した際の断面図である。
【図７】図２に示す端部ケーシングの端部及びクロスフローファンをＦ１−Ｆ２線で切断した際の断面図である。
【図８】図２に示す端部ケーシングの端部及びクロスフローファンをＧ１−Ｇ２線で切断した際の断面図である。
【図９】本実施形態の変形例に係る端部ケーシングを示す断面図である。
【発明を実施するための形態】
【００１６】
（実施形態）
図１〜図８を参照して、本実施形態の空調用室内ユニット１０について説明する。図１において、Ｘは筐体１１の幅方向、Ｏはクロスフローファン１５の中心軸（以下、「中心軸Ｏ」という）をそれぞれ示している。
図１及び図２において、Ｚ方向はＸ方向に対して直交する筐体１１の高さ方向（鉛直方向）を示している。図２において、Ｙ方向は図１に示すＸ方向及びＺ方向に対して直交する筐体１１の奥行方向を示している。
図４〜図７では、スタビライザ１８側の断面が紙面の下側に位置するように図示している。図１〜図８において、同一構成部分には、同一符号を付す。
【００１７】
空調用室内ユニット１０は、筐体１１と、熱交換ユニット１３と、クロスフローファン１５と、軸受部１６と、リアガイダ１７と、スタビライザ１８と、空気吹出流路１９と、モータ２０と、端部ケーシング２１，２２と、上下風向板２４と、を有する。
【００１８】
筐体１１は、内側に中空部を有しており、Ｘ方向に延びている。筐体１１は、空気吸込口１１Ａと、空気吹出口１１Ｂと、を有する。
空気吸込口１１Ａは、筐体１１の上面側（Ｚ方向一方側）に配置されている。空気吸込口１１Ａは、空調用室内ユニット１０が配置された室内の空気を筐体１１内に吸い込む際に使用する部分である。
空気吹出口１１Ｂは、筐体１１の下面側（Ｚ方向他方側）に配置されている。空気吹出口１１Ｂは、クロスフローファン１５から流出された熱交換後の空気を室内に吹き出す際に使用される開口部である。
【００１９】
熱交換ユニット１３は、筐体１１内に収容されており、複数の熱交換器により構成されている。熱交換ユニット１３は、クロスフローファン１５から離れた位置に設けられている。
熱交換ユニット１３は、Ｕ字形状とされている。熱交換ユニット１３は、クロスフローファン１５の第１の外周面３１ｂ（空気流入領域３１Ａに対応する外周面）を囲むように配置されている。
熱交換ユニット１３は、空気吸込口１１Ａから吸い込んだ室内の空気と熱交換ユニット１３の配管内を流れる冷媒とを熱交換させる。
【００２０】
クロスフローファン１５は、筐体１１内に収容されている。クロスフローファン１５は、クロスフローファン本体３１と、軸部３２と、軸収容部３４と、を有する。
クロスフローファン本体３１は、円柱形状とされており、Ｘ方向に延びて配置されている。クロスフローファン本体３１は、熱交換後の空気が流入する空気流入領域３１Ａと、熱交換後の空気が流出する空気流出領域３１Ｂと、外周面３１ａと、Ｘ方向に配置された端部３１Ｃ，３１Ｄと、を有する。
【００２１】
空気流入領域３１Ａは、熱交換ユニット１３と対向する領域である。空気流出領域３１Ｂは、リアガイダ１７とスタビライザ１８とで区画される空気吹出流路１９に露出された領域である。
【００２２】
外周面３１ａは、第１の外周面３１ｂと、第２の外周面３１ｃと、を有する。第１の外周面３１ｂは、外周面３１ａのうち、空気流入領域３１Ａに対応する外周面である。第２の外周面３１ｃは、外周面３１ａのうち、空気流出領域３１Ｂに対応する外周面である。
端部３１Ｃ，３１Ｄは、上述した第１及び第２の外周面３１ｂ，３１ｃを含む。端部３１Ｃは、軸受部１６側に配置された端部である。端部３１Ｄは、モータ２０側に配置された端部である。
【００２３】
軸部３２は、Ｘ方向に位置する一方の端面（軸受部１６側に配置された端面）からＸ方向に突出して設けられている。
軸収容部３４は、Ｘ方向に位置する他方の端面（モータ２０側に配置された端面）側に形成された凹部である。軸収容部３４は、軸部３２に向かうＸ方向に延びて形成されている。
【００２４】
軸受部１６は、筐体１１内に収容されている。軸受部１６は、軸部３２を回転可能な状態で支持している。
【００２５】
リアガイダ１７は、筐体１１内に収容されている。リアガイダ１７は、筐体１１の背面側に配置されている。リアガイダ１７は、筐体１１の背面側に突出した湾曲形状とされている。スタビライザ１８側に位置するリアガイダ１７の面１７ａは、湾曲面とされている。
リアガイダ１７は、空気吹出口１１Ｂ側に位置する第１の端部１７Ａ（下端部）と、第１の端部１７Ａとは反対側に位置する第２の端部１７Ｂと、を有する。
第１の端部１７Ａは、空気吹出口１１Ｂを区画する筐体１１のうち、筐体１１の背面側に位置する部分と接続されている。
第２の端部１７Ｂは、端部ケーシング２１，２２のうち、空気流入領域３１Ａと空気流出領域３１Ｂとの境界部分と接続されている。
【００２６】
スタビライザ１８は、筐体１１内に収容されている。スタビライザ１８は、一方の端部１８Ａを構成する舌部３７と、他方の端部１８Ｂと、面１８ａと、有する。
舌部３７は、スタビライザ１８のうち、舌部３７を除いた部分に対して空気吸込口１１Ａ側に傾斜した状態で配置されている。舌部３７は、端部ケーシング２１，２２と接続されている。なお、端部ケーシング２２に対する舌部３７の接続位置の詳細については、後述する。
【００２７】
舌部３７は、渦気流とクロスフローファン１５の羽根が干渉することによって、風切り音（ＮＺ音）が発生することを抑制する機能を有する。
【００２８】
他方の端部１８Ｂは、空気吹出口１１Ｂを区画する筐体１１のうち、筐体１１の前面側に位置する部分と接続されている。
面１８ａは、リアガイダ１７側に配置された面である。面１８ａは、面１７ａに対してＹ方向に間隔を空けて配置されている。
【００２９】
空気吹出流路１９は、リアガイダ１７の面１７ａとスタビライザ１８の面１８ａとの間に形成された流路である。
空気吹出流路１９は、空気流出領域３１Ｂに対応する端部ケーシング２１，２２の外面、及び空気流出領域３１Ｂに対応する第２の外周面３１ｃを露出するとともに、空気吹出口１１Ｂと連通している。これにより、クロスフローファン１５から空気吹出流路１９に流出された熱交換後の空気は、空気吹出口１１Ｂを介して、室内に供給される。
【００３０】
モータ２０は、筐体１１内に収容されている。モータ２０は、モータ本体２０Ａと、モータ軸２０Ｂと、を有する。モータ本体２０Ａは、図示していない支持部材により支持されている。
モータ軸２０Ｂは、モータ本体２０Ａと接続されており、Ｘ方向に延びている。モータ軸２０Ｂは、軸収容部３４内に収容された状態で、クロスフローファン本体３１に固定されている。モータ２０は、クロスフローファン１５を回転させるための駆動部である。
【００３１】
端部ケーシング２１は、筐体１１内に収容されている。端部ケーシング２１は、図示していない支持部材により支持されている。
端部ケーシング２１は、円形部４１と、円形筒状部４２と、を有する。円形部４１の中央には、軸部３２を挿入するための開口部４１Ａが形成されている。円形部４１は、Ｘ方向において、隙間（例えば、後述する第１の隙間４８Ｇと同じ大きさの隙間）を介在させた状態で、クロスフローファン本体３１の一方の端面と対向している。
円形筒状部４２は、一方の端が円形部４１と接続されており、Ｘ方向に延びている。円形筒状部４２は、クロスフローファン本体３１の端部３１Ｃの第１及び第２の外周面３１ｂ，３１ｃと対向している。
上記構成とされた端部ケーシング２１は、隙間を介在させた状態で、端部３１Ｃの端面及び第１の外周面３１ｂ，３１ｃを囲むように設けられている。
【００３２】
端部ケーシング２２は、筐体１１内に収容されている。端部ケーシング２２は、図示していない支持部材により、筐体１１に対して支持されている。
端部ケーシング２２は、円形部４５と、筒状部４６と、を有する。
円形部４５の中央には、モータ軸２０Ｂを挿入させるための開口部４５Ａが形成されている。円形部４５は、Ｘ方向において、隙間を介在させた状態で、クロスフローファン本体３１の他方の端面と対向している。
【００３３】
筒状部４６は、一方の端が円形部４５と接続されている。筒状部４６は、第１の部分４８と、第２の部分４９と、を有する。
第１の部分４８は、空気流入領域３１Ａに対応する第１の外周面３１ｂを囲むように設けられている。第１の部分４８は、第１の外周面３１ｂと対向するとともに、第１の外周面３１ｂとの間に第１の隙間４８Ｇを形成する第１の内面４８ａを有する。第１の隙間４８Ｇは、クロスフローファン本体３１の周方向において、同じ大きさとされている。
【００３４】
第２の部分４９は、空気流出領域３１Ｂに対応する第２の外周面３１ｃを囲むように設けられている。第２の部分４９は、円形部４５側に位置する端部とは反対側に位置する端部４９Ａがクロスフローファン１５の中心軸Ｏから離れる方向に傾斜している。
第２の部分４９は、第２の外周面３１ｃ側に配置された第２の内面４９ａを有する。第２の内面４９ａは、クロスフローファン１５の中心軸Ｏに対して傾斜する傾斜面とされている。
【００３５】
第２の内面４９ａは、第１の傾斜面４９ｂと、第２の傾斜面４９ｃと、を有する。
第１の傾斜面４９ｂは、リアガイダ１７側に配置されており、リアガイダ１７の第２の端部１７Ｂから始まる傾斜面である。第１の傾斜面４９ｂは、第２の端部１７Ｂから第１の端部１７Ａ側に向かうにつれて、中心軸Ｏに対する傾斜角度が徐々に大きくなる傾斜面である。
【００３６】
第２の傾斜面４９ｃは、スタビライザ１８側（第１の端部１７Ａ側）に配置されており、第１の傾斜面と一体とされた面である。第２の傾斜面４９ｃと第１の傾斜面４９ｂとの間には、段差は形成されておらず、滑らかな面で接続されている。
第２の傾斜面４９ｃは、中心軸Ｏに対して傾斜している。第２の傾斜面４９ｃは、第１の傾斜面４９ｂと第２の傾斜面４９ｃとの境界における傾斜角度と同じ傾斜角度で傾斜している。つまり、第２の傾斜面４９ｃは、中心軸Ｏに対する傾斜角度が一定とされた傾斜面である。
【００３７】
上記構成とされた第２の内面４９ａと空気流出領域３１Ｂに対応する第２の外周面３１ｃとの間には、第２の隙間４９Ｇが形成されている。第２の隙間４９Ｇは、第１の隙間４８Ｇよりも広い隙間である。
【００３８】
このように、空気流出領域３１Ｂに対応するクロスフローファン本体３１の第２の外周面３１ｃと端部ケーシング２２を構成する第２の部分４９の第２の内面４９ａとの間に形成される第２の隙間４９Ｇを、空気流入領域３１Ａに対応するクロスフローファン本体３１の第１の外周面３１ｂと端部ケーシング２２を構成する第１の部分４８の第１の内面４８ａとの間に形成された第１の隙間４８Ｇよりも広くすることで、クロスフローファン本体３１の端部３１Ｄの第２の外周面３１ｃから吹き出される空気の流れを第２の部分４９が阻害する可能性を低減することが可能となる。
これにより、クロスフローファン本体３１の端部３１Ｄの第２の外周面３１ｃから室内の空気が入り込むことを抑制可能となるので、ＮＺ音の発生を抑制できる。
【００３９】
また、第２の内面４９ａをクロスフローファン１５の中心軸Ｏから離れる方向に傾斜した傾斜面とすることで、第２の隙間４９Ｇを第１の隙間４８Ｇよりも広くすることができるとともに、クロスフローファン１５の端部３１Ｄから吹き出された空気をクロスフローファン１５の中央側に向かう方向に案内することができる。
【００４０】
また、傾斜面である第２の内面４９ａが、第２の端部１７Ｂから第１の端部１７Ａ側に向かうにつれて、中心軸Ｏに対する傾斜角度が徐々に大きくなる第１の傾斜面４９ｂと、第１の傾斜面４９ｂと一体とされ、中心軸Ｏに対する傾斜角度が一定とされた第２の傾斜面４９ｃと、を有することで、クロスフローファン本体３１の端部３１Ｄの第２の外周面３１ｃから流出した空気を空気吹出口１１Ｂに向かう方向に滑らかに案内することができる。
【００４１】
スタビライザ１８側に位置する第２の傾斜面４９ｃの端部と第１の内面４８ａとの間には、第２の傾斜面４９ｃが中心軸Ｏに対して傾斜することで、段差Ｇが形成されている（図３参照）。
【００４２】
段差Ｇには、段差Ｇを緩和可能な形状とされたスタビライザ１８の舌部３７の一部が延びて配置されている。
このように、段差Ｇを緩和可能な形状とされた舌部３７の一部を段差Ｇに配置させることで、第２の傾斜面４９ｃと第１の内面４８ａとの境界部分に形成された段差Ｇを低減することが可能となる。これにより、クロスフローファン１５から流出された空気が段差Ｇに衝突して、流れが乱れることを抑制できる。
【００４３】
上下風向板２４は、空気吹出口１１Ｂに対応する筐体１１に設けられている。上下風向板２４は、クロスフローファン１５から流出された空気を吹き出す向きを調整する。
【００４４】
本実施形態の空調用室内ユニット１０によれば、空気流出領域３１Ｂに対応するクロスフローファン本体３１の第２の外周面３１ｃと端部ケーシング２２を構成する第２の部分４９の第２の内面４９ａとの間に形成される第２の隙間４９Ｇを、空気流入領域３１Ａに対応するクロスフローファン本体３１の第１の外周面３１ｂと端部ケーシング２２を構成する第１の部分４８の第１の内面４８ａとの間に形成された第１の隙間４８Ｇよりも広くすることで、クロスフローファン本体３１の端部３１Ｄの第２の外周面３１ｃから吹き出される空気の流れを第２の部分４９が阻害する可能性を低減することが可能となる。
これにより、クロスフローファン本体３１の端部３１Ｄの第２の外周面３１ｃから室内の空気が入り込むことを抑制可能となるので、ＮＺ音の発生を抑制できる。
【００４５】
なお、本実施形態では、一例として、モータ２０側に配置された端部ケーシング２２が第１及び第２の部分４８，４９を有する場合を例に挙げて説明したが、軸受部１６側に配置された端部ケーシング２１が第１及び第２の部分４８，４９を有していてもよいし、両方の端部ケーシング２１，２２が第１及び第２の部分４８，４９を有していてもよい。
【００４６】
次に、図９を参照して、本実施形態の変形例に係る端部ケーシング５５について説明する。図９において、図４〜図７に示す構造体と同一構成部分には、同一符号を付す。
【００４７】
図９を参照するに、端部ケーシング５５は、先に説明した端部ケーシング２２を構成する第２の部分４９に替えて、第２の部分５６を有するとともに、円形部４５のうち、第２の外周面３１ｃ側に位置する部分を延出させたこと以外は、端部ケーシング２２と同様に構成されている。
第２の部分５６の第２の内面５６ａは、中心軸Ｏに対して傾斜していない面である。第２の内面５６ａと第２の外周面３１ｃとの間には、第1の隙間４８Ｇよりも幅の広い第２の隙間５６Ｇが形成されている。
第２の隙間５６Ｇは、第２の外周面３１ｃの周方向において、隙間の大きさが一定とされている。
【００４８】
このような構成とされた端部ケーシング５５を用いた場合も、クロスフローファン本体３１の端部の第２の外周面３１ｃから室内の空気が入り込むことを抑制可能となるので、ＮＺ音の発生を抑制できる。
【００４９】
以上、本発明の好ましい実施形態について詳述したが、本発明はかかる特定の実施形態に限定されるものではなく、特許請求の範囲内に記載された本発明の要旨の範囲内において、種々の変形・変更が可能である。
例えば、第２の内面４９ａを第１の傾斜面４９ｂのみで構成してもよい。
【符号の説明】
【００５０】
１０…空調用室内ユニット
１１…筐体
１１Ａ…空気吸込口
１１Ｂ…空気吹出口
１３…熱交換ユニット
１５…クロスフローファン
１６…軸受部
１７…リアガイダ
１７ａ，１８ａ…面
１７Ａ…第１の端部
１７Ｂ…第２の端部
１８…スタビライザ
１８Ａ…一方の端部
１８Ｂ…他方の端部
１９…空気吹出流路
２０…モータ
２０Ａ…モータ本体
２０Ｂ…モータ軸
２１，２２，５５…端部ケーシング
２４…上下風向板
３１…クロスフローファン本体
３１ａ…外周面
３１Ａ…空気流入領域
３１ｂ…第１の外周面
３１Ｂ…空気流出領域
３１ｃ…第２の外周面
３１Ｃ，３１Ｄ…端部
３２…軸部
３４…軸収容部
３７…舌部
４１，４５…円形部
４１Ａ，４５Ａ…開口部
４２…円形筒状部
４６…筒状部
４８…第１の部分
４８ａ…第１の内面
４８Ｇ…第１の隙間
４９…第２の部分
４９ａ，５６ａ…第２の内面
４９Ａ…端部
４９ｂ…第１の傾斜面
４９ｃ…第２の傾斜面
４９Ｇ，５６Ｇ…第２の隙間
Ｇ…段差
Ｏ…中心軸
【図１】
2020003103.tif 000003
【図２】
2020003103.tif 000004
【図３】
2020003103.tif 000005
【図４】
2020003103.tif 000006
【図５】
2020003103.tif 000007
【図６】
2020003103.tif 000008
【図７】
2020003103.tif 000009
【図８】
2020003103.tif 000010
【図９】
2020003103.tif 000011